(57)【特許請求の範囲】
【請求項１】
容器の口筒部に取着され、キャップ本体と上蓋からなるヒンジキャップにおいて、
キャップ本体は、注出筒と、容器口筒部に嵌着される係合筒部と、係合筒部の外周に設けられ、上端外周にヒンジを連設する外周筒部とを具え、
係合筒部は、上端に上蓋と嵌合する蓋係合部が設けられ、
外周筒部は、ヒンジの反対側の外周上端に、切断可能な弱化部を介して側方に張り出した蓋係止部が設けられており、
蓋係止部は、弱化部を介して接続された円弧状の底壁と、底壁の上面両側に立設された側壁とを具え、
側壁の内面上端には係合突部が配設され、
上蓋は、頂壁と、外筒壁を具え、
外筒壁の内周下端は、拡径され、キャップ本体の係合筒部の蓋係合部と嵌合する係合部が設けられ、
外周下端の所定の位置には、ヒンジが連設され、ヒンジの反対側には、摘み部が設けられ、
該摘み部の上面両側端が、キャップ本体の蓋係止部の側壁の係合突部下面と嵌合されていることを特徴とするヒンジキャップ。
【発明の詳細な説明】
【技術分野】
【０００１】
本発明は、ヒンジキャップ、とくに容器内に充填した加熱殺菌された内容液によりキャップの上蓋内の空気が加熱され、内圧が上昇することにより、上蓋が開蓋することを防止したヒンジキャップに関するものである。
【背景技術】
【０００２】
殺菌のため加熱された内容液を充填するヒンジキャップにおいて、内容液を充填し、ヒンジキャップを打栓した後、容器内部を殺菌し、次いで容器外部より温水シャワーで洗浄、冷却することは従来より行われている。
そしてまた、殺菌のための加熱処理によるキャップ内の空気圧の上昇により、上蓋が開蓋することを防止するために、キャップ本体の係合用の突出部に係合する上蓋の突出部に、主突起と補助突起を設け、係止機構を二重にして上蓋の開蓋を防止することも、従来より知られている（例えば、特許文献１参照）。
【特許文献１】特開平１１−３５０６１号公報
【発明の開示】
【発明が解決しようとする課題】
【０００３】
しかしながら、上記特許文献１記載の従来のヒンジキャップは、補助突起の係合によって、それ以上の上蓋の上昇を抑制し、上蓋の開蓋を防止するようにしているので、使用者が上蓋を開閉するためには、補助突起をキャップ本体の係合用の突出部を乗り越えさせなければならず、開蓋の際に大きな力が必要であるという問題があった。
【０００４】
本発明は、上記問題を解決することを課題とし、加熱によるキャップ内の空気の圧力上昇により、ヒンジキャップの上蓋が圧力上昇により開蓋することがなく、また、使用者がそれ程強い力を必要としないで上蓋を開蓋できるヒンジキャップを提供することを目的とする。
【課題を解決するための手段】
【０００５】
本発明は、上記の課題を解決するため、ヒンジキャップとして、容器の口筒部に取着され、キャップ本体と上蓋からなるヒンジキャップにおいて、キャップ本体は、注出筒と、容器口筒部に嵌着される係合筒部と、係合筒部の外周に設けられ、上端外周にヒンジを連設する外周筒部とを具え、係合筒部は、上端に上蓋と嵌合する蓋係合部が設けられ、外周筒部は、ヒンジの反対側の外周上端に、切断可能な弱化部を介して側方に張り出した蓋係止部が設けられており、蓋係止部は、弱化部を介して接続された円弧状の底壁と、底壁の上面両側に立設された側壁とを具え、側壁の内面上端には係合突部が配設され、上蓋は、頂壁と、外筒壁を具え、外筒壁の内周下端は、拡径され、キャップ本体の係合筒部の蓋係合部と嵌合する係合部が設けられ、外周下端の所定の位置には、ヒンジが連設され、ヒンジの反対側には、摘み部が設けられ、該摘み部の上面両側端が、キャップ本体の蓋係止部の側壁の係合突部下面と嵌合されていることを特徴とする構成を採用する。
【発明の効果】
【０００７】
キャップ本体の外周筒部のヒンジ反対側の外周上端に、切断可能な弱化部を介して側方に張り出した蓋係止部を設け、蓋係止部を上蓋に設けた摘み部と嵌合させるようにしたから、キャップ本体の蓋係合部と上蓋外筒壁の係合部との嵌合とともに、蓋係止部と摘み部との嵌合力が加わり、キャップ本体と上蓋の嵌合力を強め、上蓋内の圧力上昇による開蓋を防止するとともに、嵌合力を分散させたので、使用者は、より簡単に上蓋を開蓋できるようになった。
【発明を実施するための最良の形態】
【０００８】
次に、本発明のヒンジキャップについて、図面を参照して説明する。
図１、２において、Ａは容器本体に打栓されるキャップ本体、Ｂはキャップ本体ＡにヒンジＣを介して一体成形された上蓋である。
【０００９】
キャップ本体Ａは、底壁１と、底壁１の周縁に連設される注出筒２と、注出筒２の下端外周よりリング状底壁３を介して連設される係合筒部４と、係合筒部４外周に一定の間隔を持って連設され、上端外周にヒンジＣを連設する外周筒部５とからなっている。
【００１０】
底壁１には、注出口を開口する薄肉の弱化部６により区画された除去部７が設けられており、除去部７の上面には開口時に除去部７を引上げるプルリング８が設けられている。
【００１１】
係合筒部４は、リング状の上壁９と、上壁９の内周縁に垂設され、内周にリング状底壁３外周縁と接続する内筒１０と、上壁９の外周縁に垂設された外筒１１と、上壁９の上部に立設され、上蓋Ｂと嵌合する蓋係合部１２とからなっている。
外筒１１の内周には、容器本体の口筒部外周と係合する係合突条１３が設けられており、係合筒部４は、打栓時に、内筒１０外周と外筒１１内周により、容器本体の口筒部を挟持して、キャップ本体Ａを容器本体の口筒部に装着させる。
【００１２】
外筒１１の下端外周と外周筒部５の下端内周は、外周筒部５のヒンジＣの反対側に設けられた連結片１４と、間隔をおいて複数配設された破断可能な弱化片１５とを介して連設されている。
【００１３】
蓋係合部１２の外周には、外筒１１外周より縮径された縮径部１６と、その上端部に縮径部１６より拡径された膨出部１７とが形成されている。
【００１４】
外周筒部５のヒンジＣの反対側の外周上端には、切断可能な弱化部１８を介して側方に張り出した蓋係止部１９が設けられている。
蓋係止部１９は、弱化部１８を介して接続された円弧状の底壁２０と、底壁２０の上面両側に立設された側壁２１とからなっており、側壁２１の内面上端には係合突部２２が配設されている。
【００１５】
上蓋Ｂは、頂壁２５と、頂壁２５の周縁に垂設された外筒壁２６とからなり、頂壁２５下面には、キャップ本体Ａの注出筒２の内周に挿入される密封リング２７が垂設されている。
【００１６】
外筒壁２６の内周下端は、拡径され、キャップ本体Ａの係合筒部４の蓋係合部１２外周と嵌合する係合部２８が設けられており、外周下端の所定の位置には、ヒンジＣが連設され、外周下端のヒンジＣの反対側には、摘み部２９が配設されている。
【００１７】
係合部２８は、キャップ閉蓋時にキャップ本体Ａの蓋係合部１２の上面に当接し、係合する上内面２８ａと、蓋係合部１２の外周と係合する側内面２８ｂとから形成され、側内面２８ｂの下端には、キャップ本体Ａの蓋係合部１２の膨出部１７と係合する係合突部３０が設けられている。
【００１８】
摘み部２９は、キャップの閉蓋時に、両側面がキャップ本体Ａの蓋係止部１９の側壁２１の内面に係合するとともに、上面両側端が側壁２１の係合突部２２下面に嵌合し、蓋係止部１９内方に嵌合するように形成されている。
【００１９】
次に、本発明のヒンジキャップの作用効果について説明する。
ヒンジキャップの閉蓋にあたって、上蓋Ｂの係合部２８とキャップ本体Ａの蓋係合部１２とを嵌合させるとともに、上蓋Ｂの摘み部２９をキャップ本体Ａの蓋係止部１９と嵌合させ、上蓋Ｂをキャップ本体Ａに閉蓋する。
容器本体内に加熱された内容液を充填し、容器本体の口筒部に、閉蓋したヒンジキャップを上方から打栓する。
【００２０】
本発明のヒンジキャップは、上蓋Ｂの摘み部２９がキャップ本体Ａの蓋係止部１９に嵌合していることにより、上蓋Ｂのキャップ本体Ａに対する嵌合力を付加するので、上蓋Ｂ内の内圧上昇にあたって、上蓋Ｂの係合部２８とキャップ本体Ａの蓋係合部１２との嵌合力がそれほど強くなくても、開蓋が防止できる。
加熱充填直後のキャップ本体Ａと上蓋Ｂとの嵌合力は、６〜１３ニュートンであればよく、蓋係合部１２による嵌合力と蓋係止部１９による嵌合力との配分は、適宜に設定できる。
【００２１】
上蓋Ｂを開蓋する際には、キャップ本体Ａの蓋係止部１９に指などを掛け、上方に持ち上げると、図３に示すように、キャップ本体Ａの蓋係止部１９と外周筒部５とを連設する弱化部１８が切断され、蓋係止部１９を上蓋Ｂの摘み部２９に嵌合したまま、上蓋Ｂが開蓋される。
必要であれば、開蓋後に蓋係止部１９を、摘み部２９から外してもよい。
【００２２】
本発明のヒンジキャップは、上蓋Ｂの摘み部２９とキャップ本体Ａの蓋係止部１９とを嵌合し、上蓋Ｂがキャップ本体Ａに対して嵌合力を付加することで、上蓋Ｂの係合部２８とキャップ本体Ａの蓋係合部１２との嵌合力を弱く設定することができ、使用者による開蓋の際には、蓋係止部１９と摘み部２９による上蓋Ｂとキャップ本体Ａとの嵌合を外すことができるので、より使用者が上蓋を開閉し易くすることができる。
【００２３】
本発明のヒンジキャップは、容器を廃棄する際、まず、上蓋Ｂを開蓋し、上蓋Ｂを引張り上げることにより、ヒンジＣを介してキャップ本体Ａの外周筒部５を上昇させ、外周筒部５と係合筒部４との間の弱化片１５を切断する。
次に、外周筒部５と係合筒部４との間の連結片１４を支点として、外周筒部５のヒンジＣ側が上昇し、さらに上蓋Ｂを引張ると、外周筒部５の連結片１４側も上昇される。
【００２４】
最後は、連結片１４を介して係合筒部４の外筒１１の連結片側のみが引張られるので、係合筒部４の外筒１１が変形し、キャップ本体Ａと容器本体の口筒部との係合を外して、簡単にヒンジキャップを容器本体から外して、分別廃棄することができる。
【産業上の利用可能性】
【００２５】
本発明は、ヒンジキャップにおいて、ヒンジキャップを閉蓋後、容器へ打栓することで、容器内の内容液、または、温水シャワーによりヒンジキャップ内の空気が加熱され、ヒンジキャップの上蓋が開蓋することを防止でき、各種の加熱充填する内容液の容器のヒンジキャップとして広く利用することができる。
【図面の簡単な説明】
【００２６】
【図１】本発明のヒンジキャップの説明図で、（ａ）は断面立面図、（ｂ）は要部拡大図である。
【図２】ヒンジキャップの開蓋時の上面図である。
【図３】ヒンジキャップの開蓋時の要部拡大説明図である。
【符号の説明】
【００２７】
Ａ          キャップ本体
Ｂ          上蓋
Ｃ          ヒンジ
１          底壁
２          注出筒
３          リング状底壁
４          係合筒部
５          外周筒部
６、１８    弱化部
７          除去部
８          プルリング
９          上壁
１０        内筒
１１        外筒
１２        蓋係合部
１３        係合突条
１４        連結片
１５        弱化片
１６        縮径部
１７        膨出部
１９        蓋係止部
２０        底壁
２１        側壁
２２、３０  係合突部
２５        頂壁
２６        外筒壁
２７        密封リング
２８        係合部
２８ａ      上内面
２８ｂ      側内面
２９        摘み部
【図１】
0005269361.tif 000002
【図２】
0005269361.tif 000003
【図３】
0005269361.tif 000004